【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】画像処理装置、画像処理装置の制御方法、及びコンピュータで読み取り可能な制御プログラム
【手続補正２】
【補正対象書類名】明細書
【補正対象項目名】特許請求の範囲
【補正方法】変更
【補正の内容】
【特許請求の範囲】
【請求項１】  画像を入力する画像入力手段と、
前記画像入力手段によって入力された画像データを圧縮するデータ圧縮手段と、
前記データ圧縮手段によって圧縮された画像データのサイズが、予め決められたサイズを達成可能か否かを推定するサイズ推定手段と、
前記サイズ推定手段によって前記予め決められたサイズを達成できないと推定されたときは、前記画像入力手段による画像入力動作を中断状態にする画像入力中断手段とを備えたことを特徴とする画像処理装置。
【請求項２】  画像を入力する画像入力手段と、
前記画像入力手段によって入力された画像データを量子化係数を用いて符号化する符号化手段と、
前記符号化手段によって符号化された画像データの符号量が、予め決められた符号量を達成可能か否かを推定する符号量推定手段と、
前記符号量推定手段によって前記予め決められた符号量を達成できないと推定されたときは、前記画像入力手段による画像入力動作を中断状態にする画像入力中断手段とを備えたことを特徴とする画像処理装置。
【請求項３】  前記中断状態中に再開指示があったときは、前記量子化係数を変えて、前記画像入力手段によって再び画像入力動作を行うことを特徴とする請求項２記載の画像処理装置。
【請求項４】  前記符号量推定手段によって前記予め決められた符号量を達成できないと推定された画像データに対して、前記画像入力手段による画像入力動作を行った回数をカウントするカウント手段と、前記カウント手段のカウント回数が予め決められた回数を超えたか否かを判定する判定手段とを有し、前記判定手段によって前記予め決められた回数を超えたと判定されたときは、前記画像入力手段による画像入力動作を終了することを特徴とする請求項２または３記載の画像処理装置。
【請求項５】  前記符号量推定手段は、前記符号化手段によって符号化した画像データの符号量を累積加算する符号量累積手段を有し、該符号量累積手段による累積加算値に基づき、当該画像データが予め決められた符号量を達成できるか否かを推定することを特徴とする請求項２乃至４記載の画像処理装置。
【請求項６】  前記中断状態中に、前記画像入力手段によって再び画像入力動作を行うための再開処理を行うか、画像入力動作を終了するための中止処理を行うかを選択可能な構成にしたことを特徴とする請求項２乃至５記載の画像処理装置。
【請求項７】  原稿を搬送する原稿搬送手段と、前記原稿搬送手段で搬送された原稿の画像を読み取る固定式読み取り光学系とを有し、前記画像入力手段は、前記原稿搬送手段で原稿を搬送させながら前記固定式読み取り光学系で原稿の画像を読み取る流し読み方式によって画像の入力を行うことを特徴とする請求項２乃至６記載の画像処理装置。
【請求項８】  画像を入力する画像入力工程と、
前記画像入力工程によって入力された画像データを圧縮するデータ圧縮工程と、
前記データ圧縮工程によって圧縮された画像データのサイズが、予め決められたサイズを達成可能か否かを推定するサイズ推定工程と、
前記サイズ推定工程によって前記予め決められたサイズを達成できないと推定されたときは、前記画像入力工程による画像入力動作を中断状態にする画像入力中断工程とを備えたことを特徴とする画像処理装置の制御方法。
【請求項９】  画像を入力する画像入力工程と、
前記画像入力工程によって入力された画像データを量子化係数を用いて符号化する符号化工程と、
前記符号化工程によって符号化された画像データの符号量が、予め決められた符号量を達成可能か否かを推定する符号量推定工程と、
前記符号量推定工程によって前記予め決められた符号量を達成できないと推定されたときは、前記画像入力工程による画像入力動作を中断状態にする画像入力中断工程とを備えたことを特徴とする画像処理装置の制御方法。
【請求項１０】  前記中断状態中に再開指示があったときは、前記量子化係数を変えて、前記画像入力工程によって再び画像入力動作を行うことを特徴とする請求項９記載の画像処理装置の制御方法。
【請求項１１】  前記符号量推定工程によって前記予め決められた符号量を達成できないと推定された画像データに対して、前記画像入力工程による画像入力動作を行った回数をカウントするカウント工程と、前記カウント工程のカウント回数が予め決められた回数を超えたか否かを判定する判定工程とを有し、前記判定工程によって前記予め決められた回数を超えたと判定されたときは、前記画像入力工程による画像入力動作を終了することを特徴とする請求項９または１０記載の画像処理装置の制御方法。
【請求項１２】  前記符号量推定工程は、前記符号化工程によって符号化した画像データの符号量を累積加算する符号量累積工程を有し、該符号量累積工程による累積加算値に基づき、当該画像データが予め決められた符号量を達成できるか否かを推定することを特徴とする請求項９乃至１１記載の画像処理装置の制御方法。
【請求項１３】  前記中断状態中に、前記画像入力工程によって再び画像入力動作を行うための再開処理を行うか、画像入力動作を終了するための中止処理を行うかを選択可能にしたことを特徴とする請求項９乃至１２記載の画像処理装置の制御方法。
【請求項１４】  原稿を搬送する原稿搬送装置と、前記原稿搬送装置で搬送された原稿の画像を読み取る固定式読み取り光学系とを有し、前記画像入力工程は、前記原稿搬送装置で原稿を搬送させながら前記固定式読み取り光学系で原稿の画像を読み取る流し読み方式によって画像の入力を行うことを特徴とする請求項９乃至１３記載の画像処理装置の制御方法。
【請求項１５】  画像を入力する画像入力ステップと、
前記画像入力ステップによって入力された画像データを圧縮するデータ圧縮ステップと、
前記データ圧縮ステップによって圧縮された画像データのサイズが、予め決められたサイズを達成可能か否かを推定するサイズ推定ステップと、
前記サイズ推定ステップによって前記予め決められたサイズを達成できないと推定されたときは、前記画像入力ステップによる画像入力動作を中断状態にする画像入力中断ステップとを備えたことを特徴とするコンピュータで読み取り可能な制御プログラム。
【請求項１６】  画像を入力する画像入力ステップと、
前記画像入力ステップによって入力された画像データを量子化係数を用いて符号化する符号化ステップと、
前記符号化ステップによって符号化された画像データの符号量が、予め決められた符号量を達成可能か否かを推定する符号量推定ステップと、
前記符号量推定ステップによって前記予め決められた符号量を達成できないと推定されたときは、前記画像入力ステップによる画像入力動作を中断状態にする画像入力中断ステップとを備えたことを特徴とするコンピュータで読み取り可能な制御プログラム。
【請求項１７】  前記中断状態中に再開指示があったときは、前記量子化係数を変えて、前記画像入力ステップによって再び画像入力動作を行うことを特徴とする請求項１６記載のコンピュータで読み取り可能な制御プログラム。
【請求項１８】  前記符号量推定ステップによって前記予め決められた符号量を達成できないと推定された画像データに対して、前記画像入力ステップによる画像入力動作を行った回数をカウントするカウントステップと、前記カウントステップのカウント回数が予め決められた回数を超えたか否かを判定する判定ステップとを有し、前記判定ステップによって前記予め決められた回数を超えたと判定されたときは、前記画像入力ステップによる画像入力動作を終了することを特徴とする請求項１６または１７記載のコンピュータで読み取り可能な制御プログラム。
【請求項１９】  前記符号量推定ステップは、前記符号化ステップによって符号化した画像データの符号量を累積加算する符号量累積ステップを有し、該符号量累積ステップによる累積加算値に基づき、当該画像データが予め決められた符号量を達成できるか否かを推定することを特徴とする請求項１６乃至１８記載のコンピュータで読み取り可能な制御プログラム。
【請求項２０】  前記中断状態中に、前記画像入力ステップによって再び画像入力動作を行うための再開処理を行うか、画像入力動作を終了するための中止処理を行うかを選択可能にしたことを特徴とする請求項１６乃至１９記載のコンピュータで読み取り可能な制御プログラム。
【手続補正３】
【補正対象書類名】明細書
【補正対象項目名】０００１
【補正方法】変更
【補正の内容】
【０００１】
【発明の属する技術分野】
本発明は、画像データを圧縮して処理する画像処理装置、画像処理装置の制御方法、及びコンピュータで読み取り可能な制御プログラムに関するものである。
【手続補正４】
【補正対象書類名】明細書
【補正対象項目名】００１０
【補正方法】変更
【補正の内容】
【００１０】
本発明は上記従来の問題点に鑑み、流し読み方式で読み込んだ原稿の中に所望の画像サイズに収まらない原稿画像が含まれていた場合でも、画像に対して再スキャンを可能にすることで、所望の画像サイズに収めて読み込み動作を行える画像処理装置、画像処理装置の制御方法、及びコンピュータで読み取り可能な制御プログラムを提供することを目的とする。
【手続補正５】
【補正対象書類名】明細書
【補正対象項目名】００１１
【補正方法】変更
【補正の内容】
【００１１】
【課題を解決するための手段】
上記目的を達成するために、本発明の画像処理装置では、画像を入力する画像入力手段と、前記画像入力手段によって入力された画像データを圧縮するデータ圧縮手段と、前記データ圧縮手段によって圧縮された画像データのサイズが、予め決められたサイズを達成可能か否かを推定するサイズ推定手段と、前記サイズ推定手段によって前記予め決められたサイズを達成できないと推定されたときは、前記画像入力手段による画像入力動作を中断状態にする画像入力中断手段とを備えたことを特徴とする。
本発明の画像処理装置では、画像を入力する画像入力手段と、前記画像入力手段によって入力された画像データを量子化係数を用いて符号化する符号化手段と、前記符号化手段によって符号化された画像データの符号量が、予め決められた符号量を達成可能か否かを推定する符号量推定手段と、前記符号量推定手段によって前記予め決められた符号量を達成できないと推定されたときは、前記画像入力手段による画像入力動作を中断状態にする画像入力中断手段とを備えたことを特徴とする。
本発明の画像処理装置の制御方法では、画像を入力する画像入力工程と、前記画像入力工程によって入力された画像データを圧縮するデータ圧縮工程と、前記データ圧縮工程によって圧縮された画像データのサイズが、予め決められたサイズを達成可能か否かを推定するサイズ推定工程と、前記サイズ推定工程によって前記予め決められたサイズを達成できないと推定されたときは、前記画像入力工程による画像入力動作を中断状態にする画像入力中断工程とを備えたことを特徴とする。
本発明の画像処理装置の制御方法では、画像を入力する画像入力工程と、前記画像入力工程によって入力された画像データを量子化係数を用いて符号化する符号化工程と、前記符号化工程によって符号化された画像データの符号量が、予め決められた符号量を達成可能か否かを推定する符号量推定工程と、前記符号量推定工程によって前記予め決められた符号量を達成できないと推定されたときは、前記画像入力工程による画像入力動作を中断状態にする画像入力中断工程とを備えたことを特徴とする。
本発明のコンピュータで読み取り可能な制御プログラムでは、画像を入力する画像入力ステップと、前記画像入力ステップによって入力された画像データを圧縮するデータ圧縮ステップと、前記データ圧縮ステップによって圧縮された画像データのサイズが、予め決められたサイズを達成可能か否かを推定するサイズ推定ステップと、前記サイズ推定ステップによって前記予め決められたサイズを達成できないと推定されたときは、前記画像入力ステップによる画像入力動作を中断状態にする画像入力中断ステップとを備えたことを特徴とする。
本発明のコンピュータで読み取り可能な制御プログラムでは、画像を入力する画像入力ステップと、前記画像入力ステップによって入力された画像データを量子化係数を用いて符号化する符号化ステップと、前記符号化ステップによって符号化された画像データの符号量が、予め決められた符号量を達成可能か否かを推定する符号量推定ステップと、前記符号量推定ステップによって前記予め決められた符号量を達成できないと推定されたときは、前記画像入力ステップによる画像入力動作を中断状態にする画像入力中断ステップとを備えたことを特徴とする。
【手続補正６】
【補正対象書類名】明細書
【補正対象項目名】００８４
【補正方法】削除
【補正の内容】
【手続補正７】
【補正対象書類名】明細書
【補正対象項目名】００８５
【補正方法】削除
【補正の内容】
【手続補正８】
【補正対象書類名】明細書
【補正対象項目名】００８６
【補正方法】削除
【補正の内容】
【手続補正９】
【補正対象書類名】明細書
【補正対象項目名】００８７
【補正方法】削除
【補正の内容】
【手続補正１０】
【補正対象書類名】明細書
【補正対象項目名】００８８
【補正方法】削除
【補正の内容】
【手続補正１１】
【補正対象書類名】明細書
【補正対象項目名】００８９
【補正方法】削除
【補正の内容】
【手続補正１２】
【補正対象書類名】明細書
【補正対象項目名】００９０
【補正方法】削除
【補正の内容】
【手続補正１３】
【補正対象書類名】明細書
【補正対象項目名】００９１
【補正方法】削除
【補正の内容】
【手続補正１４】
【補正対象書類名】明細書
【補正対象項目名】００９２
【補正方法】削除
【補正の内容】
【手続補正１５】
【補正対象書類名】明細書
【補正対象項目名】００９３
【補正方法】削除
【補正の内容】
【手続補正１６】
【補正対象書類名】明細書
【補正対象項目名】００９４
【補正方法】削除
【補正の内容】
【手続補正１７】
【補正対象書類名】明細書
【補正対象項目名】００９５
【補正方法】削除
【補正の内容】
【手続補正１８】
【補正対象書類名】明細書
【補正対象項目名】００９６
【補正方法】削除
【補正の内容】
【手続補正１９】
【補正対象書類名】明細書
【補正対象項目名】００９７
【補正方法】削除
【補正の内容】
【手続補正２０】
【補正対象書類名】明細書
【補正対象項目名】００９８
【補正方法】削除
【補正の内容】
【手続補正２１】
【補正対象書類名】明細書
【補正対象項目名】００９９
【補正方法】削除
【補正の内容】
【手続補正２２】
【補正対象書類名】明細書
【補正対象項目名】０１００
【補正方法】削除
【補正の内容】
【手続補正２３】
【補正対象書類名】明細書
【補正対象項目名】０１０１
【補正方法】削除
【補正の内容】
【手続補正２４】
【補正対象書類名】明細書
【補正対象項目名】０１０２
【補正方法】削除
【補正の内容】
【手続補正２５】
【補正対象書類名】明細書
【補正対象項目名】０１０３
【補正方法】削除
【補正の内容】
【手続補正２６】
【補正対象書類名】明細書
【補正対象項目名】０１０４
【補正方法】削除
【補正の内容】